(57)【要約】【課題】水道管に明けた分岐用の穴に防食コアを取付ける取付け工具で、防食コアを簡単に装着することのできる取付け工具を提供する。【解決手段】取付け工具１は工具本体２と取付けリング４３とで構成する。工具本体は、大径部３３、中径部３４、小径部３５、第１傾斜部３６、第２傾斜部３７、第３傾斜部３８、第４傾斜部３９、リング取付け部４０を備える。取付けリングは切欠き４７が形成され、弾性的に縮径可能である。取付けリングは底部４４の穴４６がリング取付け部の溝４１に嵌って取付けリングに取付けられる。防食コア５１は、取付け工具の下側から工具に嵌め込み、取付けリングを縮径させながらこれを乗り越えさせることにより取付け工具に装着できる。【選択図】  図６
2006170396.tif 000002
【特許請求の範囲】
【請求項１】
水道管に防食コアを取付けるために使用する取付け工具において、前記取付け工具は、軸状の工具本体と、該工具本体に取り付けられ、弾性的に縮径可能な取付けリングとで構成され、前記取付けリングは、前記取付け工具に装着された前記防食コアをその上に支持し、取付け工具から外れるのを阻止することを特徴とする、取付け工具。
【請求項２】
請求項１記載の取付け工具において、前記工具本体は、前記防食コアを水道管に取付けるために前記防食コアに作用する作用部と、該作用部の下側に形成されたリング取付け部とを備え、前記取付けリングは前記リング取り付け部に取付けられることを特徴とする、取付け工具。
【請求項３】
請求項２記載の取付け工具において、前記取付け部には円周方向に伸びる溝が形成され、前記取付けリングはその一部が前記溝に嵌る嵌合部と、前記防食コアを支持するコア支持部とを備え、自由状態において前記嵌合部の内周と前記溝の底との間にクリアランスがあり、前記コア支持部は前記溝の外側に位置することを特徴とする、取付け工具。
【発明の詳細な説明】
【技術分野】
【０００１】
本発明は、水道管に防食コアを取付けるために使用する取付け工具に関する。さらに詳細に言えば、その工具への防食コアの装着が簡単に行うことができる取付け工具に関する。
【背景技術】
【０００２】
水道本管から分岐管へ分岐するために例えばサドル分水栓を本管に取り付け、該分水栓を貫通して穿孔工具を挿入して本管に分岐用の穴を明ける。そしてこの穴及びその周囲における管の腐食を防止するために、例えば特許第３４６４８２５号に開示された防食コアをこの穴に取り付ける。この防食コアを取り付けるために専用の取付け工具が使用され、同特許にその先行技術の一例が開示されている。以下、図８を参照してこの先行技術に係る取付け工具を簡単に説明する。
【０００３】
図８は、特許第３４６４８２５号に開示された取付け工具８１を用いて防食コア７５を水道の本管７１に明けた穴７２に取付ける方法を示している。符号７３は本管７１に取付けたサドル分水栓であり、その下部通水路７４の部分のみを図示してある。コア７５は工具８１に装着された状態で分水栓７３内を貫通して挿入され、穴７２に取付けられる。
【０００４】
工具８１は工具本体８２と、本体８２の下端部にネジ結合で取付けられるヘッド８９とで構成されている。工具本体８２は上側から径の大きい順に大径部８３、中径部８４、小径部８５が形成され、さらに、小径部８５と中径部８４との間の第１傾斜部８６、中径部８４の上側の第２傾斜部８７、さらに大径部８３に繋がる第３傾斜部８８とを備えている（大径部８３より上の部分の図示は省略してある。）。コア７５を工具８１に装着するには、先ずヘッド８９を工具本体８２から取外し、コア７５を工具本体８２へ下端側から図示のように工具本体８２の装着し、ヘッド８９を工具本体８２に取り付ける。コア７５の径方向内方へ鉤状に曲がった下端部７９の内径がヘッド８９の外形より小さいので、コア７５は工具から外れない。
【０００５】
この状態で工具８１を分水栓７３内を貫通して挿入すると、コア７５の下側筒部７８が穴７２に嵌り、鍔部７６が穴７２の周囲で本管７１上に載る。コア７５の内径は下方へ向かって漸次径が小さくなっており、工具８１をさらに押し下げると、先ずコア７５の下端部７９が工具本体８２の第１傾斜部８６により、次いで中径部８４により外方へ押し広げられ、コア７５は抜止めされる。また、コア７５の下側筒部７８も中径部８４により外方へ広げられ、その外周上に取付けられたゴムなどのシール部材７８ａが穴７２の内周へ圧縮状態で押付けられる。さらに工具８１を押し下げると、工具本体８２の第２傾斜部８７によりコア７５の上側筒部７７が押し広げられ、その外周上に取付けられたゴム製のシール部材７７ａが分水栓７３の下部通水路７４の内周面に圧縮状態で押付けられる。コア７５の上端が工具本体８２の第３傾斜部に当たると、この傾斜は急なため抵抗が大きくなり、作業者に取付け作業完了を知らせる。工具本体８２の中径部８４の外径はヘッド８９の外径より大きく、コア７５の内径は丈方向全ての位置でヘッド８９の外径より大きくなっており、この状態で工具８１を引くと、穴７２と分水栓７３に取付けられたコア７５をその位置に残し、コア７５に邪魔されることなく、工具８１だけを引抜くことができる。コアの取付けを行う度に以上の操作を繰返すこととなる。
【０００６】
【特許文献１】特許第３４６４８２５号特許公報
【発明の開示】
【発明が解決しようとする課題】
【０００７】
ところで上記従来の取り付け工具では、コアを工具に装着する度に先ずヘッドを工具本体から取外し、コアの装着後にヘッドを再度工具本体に取付ける作業が必要となり、コアの工具への装着に手間と時間が掛かる。
【０００８】
本願発明は上記従来の取付け工具の問題点に鑑みなされたものであり、防食コアを簡単に短時間に装着することのできる、防食コアの取付け用工具を提供することをその課題とする。
【課題を解決するための手段】
【０００９】
上記課題を解決するために本発明の水道管に防食コアを取付けるために使用する取付け工具においては、その取付け工具を軸状の工具本体と、該工具本体に取り付けられ、弾性的に縮径可能な取付けリングとで構成した。取付けリングは、取付け工具に装着された防食コアをその上に支持して、取付け工具から外れるのを阻止する。取付けリングは弾性的に縮径可能であるので、これを縮径させることにより防食コアを取付け工具に装着することができる。
【発明の効果】
【００１０】
本発明においては上記の通りの構成を採用したので、防食コアを取付け工具に装着するには、防食コアを取付け工具に嵌め、軸方向に移動させながら取付けリングを縮径させてそれを乗越えさせるだけで良く、他の作業は一切必要ないので、作業がきわめて簡単で、作業効率が高くなる。
【発明を実施するための最良の形態】
【００１１】
以下、図面を参照して本発明の実施の形態について説明する。先ず図１乃至図３を参照して本発明の第１の実施の形態に係る取付け工具１を説明する。図１は取付け工具１の側断面図で、これに装着する防食コアの側断面図と一緒に示してある。図２は防食コアを取付け工具に装着した状態を示し、図３は取付け工具を構成する取付けリングの一例を示す図である。
【００１２】
図１において、取付け工具１は工具本体２と取付けリング１５とで構成される。工具本体２は、前述の従来例と同様に略円柱状の部材で大径部３、中径部４、小径部５、第１傾斜部６、第２傾斜部７、第３傾斜部８を備えている。そしてこの工具本体２は小径部５の下側にさらに第４傾斜部９を経て小径部５より径の小さいリング取付け部１０を備え、その取付け部１０の丈方向略中央に取付け溝１１が形成されている。
【００１３】
図３は取付けリング１５を示し、（イ）は断面図、（ロ）は底面図である。リング１５は例えばプラスチックなどで作られ、円環の一部を切欠いた形をして、その外周側は丈の略中央部が径方向外方へ向かって凸になっている。このリング１５は、工具本体２の取付け溝１１に図１に示す如く取り付けられ、自由状態ではリング１５の内周と溝１１の底部との間に隙間が存在する。リング１５は外方から力が加わると弾性変形して径が縮小し、外力が除かれると元に戻る。このリング１５は必要に応じて工具本体２から取外すことができる。
【００１４】
図１の取付け工具１の下方に示されているのは防食コア２１の断面図である。この防食コア２１は前述の従来例で示したコアとは下端部の形状において若干異なるが、これは本発明の取付け工具の構成に由来するものではなく、従来例で示したコアの取付けに本発明の取付け工具を使用できることは勿論である。また、その下端部の形状の相違も本質的なものではない。このコア２１の構成は従来例のコアの構成の説明から容易に理解できるので、その詳細な説明は省略する。
【００１５】
図２は取付け工具１にコア２１を装着した状態を示す断面図である。コア２１は従来例と同じく鍔部２２、上側筒部２３、下側筒部２４を備え、その貫通孔２６は下側に向かって径が漸次小さくなるようにテーパ状になっている。また、下側筒部２４の下端部２５は内周側が内側へ突出している。貫通孔２６の径は上側筒部２３において工具本体２の中径部４の外径より大きく、下側筒部２４において小径部５の外径より大きくなっているが、下端部２５の内方へ突出した部分の最小径は、自由状態での取付けリング１５の外径より小さい。しかし前述の如くリング１５には切欠き１６があり、力が加わると縮径するので、下端部２５をしてリング１５を乗越えさせ、図示の如くコア２１を工具１に装着することができる。下端部２５がリング１５を乗越えるとリング１５は元の状態に戻るので、コア２１が工具１から外れることはない。
【００１６】
工具１に取付けたコア２１を水道管に取付ける操作は、前述した従来例と略同様である。従来例に関して説明したようにコア２１を装着した工具１を分水栓に挿通し、コア２１の下側筒部２４を水道管に明けた穴に嵌め、さらに工具１を押し下げて行くと、コアの下端部２５は工具本体２の第４傾斜部９、小径部５、第１傾斜部６、中径部４により広げられ、下側筒部２４は中径部４により、上側筒部２３は第２傾斜部７により拡径される。すなわちこの実施の形態では、工具本体２の第4傾斜部から第3傾斜部に至る部分が防食コア２１の各部分を拡径する作用をする作用部で、その下側にリング取付け部１０が設けられていることとなる。そして工具本体２の中径部４の外径は自由状態での取付けリング１５の外径より大きいので、拡径後のコア２１は工具１の抜取りの妨げにはならない。
【００１７】
図４は図３に示した取付けリング１５に代わって使用可能なリングの各種形状を示す図であり、それぞれ（イ）は断面図、（ロ）は底面図である。図には4種類示したが、この形状に限定されない。材料はプラスチックに限定されないが、弾性を有すること、一部を切欠いて工具本体２の溝１０への着脱が可能であること、自由状態においてその内周と取付け溝の底部との間に隙間があり、その外径が装着するコアの下端部の最小内径部の内径より大きいことなどが必要であることはリング１５の場合と同じである。これらの取付けリングは形状が簡単で、きわめて安価に製造できる。
【００１８】
図５乃至図７は第２の実施の形態を示し、それぞれ第１の形態に関する図１、２、３に対応するものであり、この取付け工具３１も工具本体３２と取付けリング５１とで構成される。工具本体３１の形状は第１の実施の形態でのそれと細部において若干の差異はあるが、基本形状は同じである。すなわち、工具本体３１は大径部３３、中径部３４、小径部３５、第１傾斜部３６、第２傾斜部３７、第３傾斜部３８、第４傾斜部３９、小径部３５よりさらに小径のリング取付け部４０を備え、その取付け部４０に取付け溝４１が形成され、この取付け溝４１に取付けリング４３が図５に示すように取付けられる。
【００１９】
取付けリング４３は図７の（イ）縦断面図及び（ロ）底面図に示されるように、第１の実施の形態で使用したものとは異なりカップ形をしている。本明細書においてはこのような形状のものを含めて「リング」と表現する。すなわち、工具本体に取付けられ、取付け工具に装着した防食コアが外れないように保持する作用をする部材を、その具体的な形状にとらわれず全て「取付けリング」と称することとする。
【００２０】
取付けリング４３は前述のようにカップ形をしており、底部４４と底部４４の外周部から上方へ、上に向かうに従って径が大きくなる周壁部４５とを備えている。底部４４の中央には穴４６が明いており、この穴４６の径は工具本体３２のリング取付け部４０に形成された溝４１の底部の径より若干大きくなっている。また、リング４３には底部４４と周壁部４５に渡って切欠き４７が１つ形成されている。この切欠き４７を利用してリング４３の底部４４を工具本体３２の溝４１に嵌め、図５に示すようにリング４３を工具本体３２に取付けることができる。取付けた際には穴４６の内周と溝４１の底部との間に隙間が形成される。そして、力が加わることによりリング４３は縮径し、力が除かれると元に戻る。
【００２１】
図５で工具３１の下方に示されたのは、工具３１に装着される防食コア５１の断面図である。このコア５１は第１の実施の形態に関連して説明したコア２１とは若干形状が異なり、従来例に関連して説明したコアと略同じ形状をしており、鍔部５２、上側筒部５３、下側筒部５４、下端部５５を備え、内部の貫通孔は下側に向かうに連れて径が小さくなるようにテーパ状になっており、下端部５５は内側に向かって鉤状に曲がっている。
【００２２】
このコア５１も従来例或いは第１の実施の形態で説明したコアと同様に、工具３１の下端部４０側から工具３１に嵌め込み、取付けリング４３を縮径させてそれを乗越えてその上側に移動させると、リング４３が元の位置に戻る。この状態でコア５１の下端部５５の最小内径部５５ａがリング４３の周壁部４５の上端面上に載り、支持される。これによりコア５１が工具３１から外れなくなる。コア５１の水道管の穴への取付け方についての説明は省略する。この取付けリング４３の場合、周壁部４５が設けられており、コア５１を装着する際にその周壁部４５が底部４４において支持された片持梁のように変形するので、その変形がきわめて柔軟で抵抗が少ない。したがって、コア装着時の磨耗がきわめて少ないという利点がある。
【００２３】
上記において具体的に二つの実施の形態について説明したが、工具の工具本体の形状及び取付けリングの形状或いはそれらの取付け工具を使用して取付ける防食コアの形状が上に説明したものに限定されるものではない。取付ける防食コアの形状に合わせて工具本体、取付けリングの形状、寸法等は適宜設定される。また、取付ける防食リングは上に説明したように水道管の穴と分水栓の下部通水路の両方へ密着させるタイプに限定されるものではなく、例えば水道管の穴のみへ密着させるタイプのものにも本発明は適用可能であり、取付ける防食コアの形状に適合するように工具の具体的形状は決定される。
【図面の簡単な説明】
【００２４】
【図１】本発明の第１の実施の形態に係る取付け工具と防食コアとを示す縦断面図である。
【図２】図１の取付け工具に防食コアを装着した状態を示す縦断面図である。
【図３】第１の実施の形態で使用する取付けリングを示す図である。
【図４】第１の実施の形態で使用できる他の取付けリングの例を示す図である。
【図５】本発明の第２の実施の形態に係る取付け工具と防食コアとを示す縦断面図である。
【図６】図５の取付け工具に防食コアを装着した状態を示す縦断面図である。
【図７】第２の実施の形態で使用する取付けリングを示す図である。
【図８】取付け工具の従来例及びそれを用いて防食コアを取付ける方法を示す縦断面図である。
【符号の説明】
【００２５】
１、３１：取付け工具    ２、３２：工具本体    ３、３３：大径部    ４、３４：中径部    ５、３５：小径部    ６、３６：第１傾斜部    ７、３７：第２傾斜部    ８、３８：第３傾斜部    ９、３９：第４傾斜部    １０、４０：リング取付け部    １１、４１：溝    １５、４３：取付けリング    １６、４７：切欠き    ４４：底部    ４５：周壁部
【図１】
2006170396.tif 000003
【図２】
2006170396.tif 000004
【図３】
2006170396.tif 000005
【図４】
2006170396.tif 000006
【図５】
2006170396.tif 000007
【図６】
2006170396.tif 000008
【図７】
2006170396.tif 000009
【図８】
2006170396.tif 000010